(57)【要約】【課題】  強度及び耐候性に優れ、且つ内部の温度が上昇しにくく、内部の通信機器の安定動作を確保可能な自動販売機用通信機器収納箱を提供することにある。【解決手段】  通信機器を収納する金属製の収納箱本体と、収納箱本体の周囲に、収納箱本体の壁面から所定距離離間して壁面に設けられた遮熱板とを備え、収納箱本体の壁面に、通信機器が授受する無線電波を通す開口率を有する開放孔が穿設され、また、開放孔が、無線電波に対する非遮蔽材である形成されてなる封止材で塞がれていることを特徴とする。【選択図】図１
2016194884.tif 000002
【特許請求の範囲】
【請求項１】
内部に通信機器を収納し、自動販売機の外側に設置する自動販売機用通信機器収納箱において、
該通信機器を収納する金属製の収納箱本体と、
該収納箱本体の周囲に、該収納箱本体の壁面から所定距離離間して該壁面に設けられた遮熱板とを備え、
該収納箱本体の該壁面に、該通信機器が授受する無線電波を通す開口率を有する開放孔が穿設されていることを特徴とする自動販売機用通信機器収納箱。
【請求項２】
前記収納箱本体の壁面の開放孔が、前記無線電波に対する非遮蔽材である形成されてなる封止材で塞がれていることを特徴とする請求項１記載の自動販売機用通信機器収納箱。
【請求項３】
前記収納箱本体の内壁に、前記無線電波に対する非遮蔽材である断熱材が、内張されていることを特徴とする請求項１又は請求項２記載の自動販売機用通信機器収納箱。
【請求項４】
前記収納箱本体に、該収納箱本体の内部の空気を換気するための換気扇を設け、該収納箱本体の内部に設けられた温度センサにより所定以上の温度を検出したとき、該換気扇を動作させることを特徴とする請求項１〜請求項３のいずれかに記載の自動販売機用通信機器収納箱。
【請求項５】
前記収納箱本体から後方に伸びると共に、後方に伸びた端部が、該収納箱本体よりも下方に垂下したアングル材と、
該アングル材の該後方に伸びた端部に、前記自動販売機の背面に水平に固定可能な棒状のステー材とを備え、
該収納箱本体を、自動販売機の天板上に載置した上で、該ステー材を該自動販売機の背面に固定することで、該収納箱本体を該自動販売機に固定することを特徴とする請求項１〜請求項４のいずれかに記載の自動販売機用通信機器収納箱。
【請求項６】
前記遮熱板が、広告面を形成してなることを特徴とする請求項１〜請求項５のいずれかに記載の自動販売機用通信機器収納箱。
【請求項７】
前記遮熱板に、前記通信機器の面状アンテナを接着することを特徴とする請求項１〜請求項６のいずれかに記載の自動販売機用通信機器収納箱。
【発明の詳細な説明】
【技術分野】
【０００１】
本発明は、内部に通信機器を収納し、自動販売機の外側に設置するための自動販売機用通信機器収納箱に関する。
【背景技術】
【０００２】
従来より、自動販売機に無線ＬＡＮ等の通信機器を設置する場合、通信機器を収納するための自動販売機用通信機器収納箱が用いられている。例えば、特許文献１の通信装置格納ボックスが、自動販売機用通信機器収納箱の一例である。
【０００３】
特許文献１の通信装置格納ボックスは、自動販売機の上面に設置されるボックスであって、周囲の無線携帯端末と無線ＬＡＮ通信を行うとともにその無線携帯端末をインターネットに接続させる無線ＬＡＮルータ及びそのアンテナを外部に露出しないように格納するための格納スペースを内部に有した樹脂製ボックスから構成されている。
【先行技術文献】
【特許文献】
【０００４】
【特許文献１】特許第５００５８４２号公報
【発明の概要】
【発明が解決しようとする課題】
【０００５】
しかしながら、従来の自動販売機用通信機器収納箱では、樹脂製ボックスからなることから、強度が弱く耐候性も弱いことから、自動販売機の耐久性に比べ自動販売機用通信機器収納箱が格段に劣っている。
【０００６】
本発明は、このような事情に鑑みてなされたもので、強度及び耐候性に優れ、且つ内部の温度が上昇しにくく、内部の通信機器の安定動作を確保可能な自動販売機用通信機器収納箱を提供することにある。
【課題を解決するための手段】
【０００７】
請求項１記載の自動販売機用通信機器収納箱は、通信機器を収納する金属製の収納箱本体と、収納箱本体の周囲に、収納箱本体の壁面から所定距離離間して壁面に設けられた遮熱板とを備え、収納箱本体の壁面に、通信機器が授受する無線電波を通す開口率を有する開放孔が穿設されていることを特徴とする。
【０００８】
請求項２記載の自動販売機用通信機器収納箱は、収納箱本体の壁面の開放孔が、無線電波に対する非遮蔽材である形成されてなる封止材で塞がれていることを特徴とする。
【０００９】
請求項３記載の自動販売機用通信機器収納箱は、収納箱本体の内壁に、無線電波に対する非遮蔽材である断熱材が、内張されていることを特徴とする。
【００１０】
請求項４記載の自動販売機用通信機器収納箱は、収納箱本体に、収納箱本体の内部の空気を換気するための換気扇を設け、収納箱本体の内部に設けられた温度センサにより所定以上の温度を検出したとき、換気扇を動作させることを特徴とする。
【００１１】
請求項５記載の自動販売機用通信機器収納箱は、収納箱本体から後方に伸びると共に、後方に伸びた端部が、収納箱本体よりも下方に垂下したアングル材と、アングル材の後方に伸びた端部に、自動販売機の背面に水平に固定可能な棒状のステー材とを備え、収納箱本体を、自動販売機の天板上に載置した上で、ステー材を自動販売機の背面に固定することで、収納箱本体を自動販売機に固定することを特徴とする。
【００１２】
請求項６記載の自動販売機用通信機器収納箱は、遮熱板が、広告面を形成してなることを特徴とする。
【００１３】
請求項７記載の自動販売機用通信機器収納箱は、遮熱板に、通信機器の面状アンテナを接着することを特徴とする。
【発明の効果】
【００１４】
本願の発明によれば、通信機器を収納する金属製の収納箱本体と、収納箱本体の周囲に、収納箱本体の壁面から所定距離離間して壁面に設けられた遮熱板とを備え、収納箱本体の壁面に、通信機器が授受する無線電波を通す開口率を有する開放孔が穿設されていることから、通信機器の無線性能を維持させつつ、強度及び耐候性に優れ、且つ内部の温度が上昇しにくく、内部の通信機器の安定動作を確保可能である。
【図面の簡単な説明】
【００１５】
【図１】本発明に係る自動販売機用通信機器収納箱の一例を示す斜視図である。
【図２】同自動販売機用通信機器収納箱の使用状態を示す説明図である。
【図３】同自動販売機用通信機器収納箱の正面図である。
【図４】同自動販売機用通信機器収納箱の背面図である。
【図５】同自動販売機用通信機器収納箱の側面図である。
【図６】同自動販売機用通信機器収納箱の平面図である。
【図７】図３のＡ−Ａ線矢視部分断面図である。
【図８】同自動販売機用通信機器収納箱の使用状態を示す側面説明図である。
【図９】同自動販売機用通信機器収納箱の使用状態を示す背面説明図である。
【発明を実施するための形態】
【００１６】
以下、本発明の形態について図面を参照しながら具体的に説明する。図１は、本発明に係る自動販売機用通信機器収納箱の一例を示す斜視図である。図２は、同自動販売機用通信機器収納箱の使用状態を示す説明図である。図３は、同自動販売機用通信機器収納箱の正面図である。図４は、同自動販売機用通信機器収納箱の背面図である。図５は、同自動販売機用通信機器収納箱の側面図である。図６は、同自動販売機用通信機器収納箱の平面図である。図７は、図３のＡ−Ａ線矢視部分断面図である。図８は、同自動販売機用通信機器収納箱の使用状態を示す側面説明図である。図９は、同自動販売機用通信機器収納箱の使用状態を示す背面説明図である。
【００１７】
図における自動販売機用通信機器収納箱１は、内部に通信機器（図示せず）を収納し、自動販売機の外側に設置するためのものである。通信機器とは、例えば、インターネット網に携帯電話やタブレット端末等の無線情報通信端末を接続するためのアクセスポイントになる小規模の基地局である無線ＬＡＮ基地局になりうる機器であったり、緊急地震速報を受信し自動販売機４の周辺に音声や光により、地震情報を伝達するための緊急地震速報機であったり、防災無線の受信機であったりする。無線ＬＡＮ基地局の場合、例えば、携帯電話網等の公衆回線に無線で接続する機能を有する一方、無線ＬＡＮの為の無線機能も有し、無線情報通信端末が、通信機器に無線ＬＡＮを用いて接続し、無線ＬＡＮを経由して、公衆回線を通じてインターネットに接続することになる。このように、通信機器は、各種の無線通信を行うためのもので、その形態や仕組みによって制限されるものではなく、各種のものが含まれる。
【００１８】
自動販売機用通信機器収納箱１は、通信機器を収納する金属製の収納箱本体１０と、収納箱本体１０の周囲に、収納箱本体１０の壁面（正面１２、右側壁面１４、左側壁面１６、平面２０）から所定距離離間して壁面に設けられた遮熱板３０，４０，５０，６０等を備えている。自動販売機用通信機器収納箱１は、略立方体状であり、自動販売機４の天板４ａに載置可能な大きさになっているが、特に形状や大きさにこだわるものではなく、自動販売機４に設置可能な大きさと形状であればよい。
【００１９】
収納箱本体１０は、壁面（正面１２、右側壁面１４、左側壁面１６、平面２０、背面２２、底面２４）が、金属製の板材で形成されている。そして、本実施の形態の例では、正面１２、右側壁面１４、左側壁面１６、背面２２及び底面２４が一体で形成され、平面２０が、別体で蓋状になっている（図７を参照）。
【００２０】
収納箱本体１０の正面１２、右側壁面１４、左側壁面１６及び平面２０の各壁面には、通信機器が授受する無線電波を通す開口率を有する開放孔１２ａ，１４ａ，２０ａが穿設されている。開放孔１２ａ，１４ａ，２０ａの形状は、本実施の形態では円形であるが、円形に限られたものではなく、無線電波を通すことが可能な形状であればよい。また、各壁面の開放孔１２ａ，１４ａ，２０ａは、図７に示すように、無線電波に対する非遮蔽材である形成されてなる封止材８０で塞がれている。封止材８０の材質としては、例えば、アクリル等の樹脂材である。さらに、図７に示すように、収納箱本体１０の内壁には、無線電波に対する非遮蔽材である断熱材８２が、内張されている。断熱材８２は、例えば、発泡樹脂製である。
【００２１】
収納箱本体１０の正面１２、右側壁面１４、左側壁面１６及び平面２０の各壁面には、各壁面から所定距離離間して壁面に設けられた遮熱板３０，４０，５０，６０が設けられている。この遮熱板３０，４０，５０，６０は、正面１２、右側壁面１４、左側壁面１６及び平面２０の各壁面から起立してネジ３４，４４，５４，６４で固定された円柱状のスペーサ３２，４２，５２，６２で四方を固定されている。遮熱板３０，４０，５０，６０と正面１２、右側壁面１４、左側壁面１６及び平面２０の各壁面との距離は、遮熱板３０，４０，５０，６０で受けた熱が、正面１２、右側壁面１４、左側壁面１６及び平面２０に伝わらない程度の距離で、それぞれの間を風が抜けるに十分な距離があるのが好ましい。遮熱板３０，４０，５０，６０は、例えば樹脂製であるが、収納箱本体１０の加熱を抑えることが可能であれば、材質によって制限されるものではない。
【００２２】
収納箱本体１０の背面２２には、換気扇７０、吸気口７２及び配線口７４が設けられている。換気扇７０は、収納箱本体１０の内部の空気を換気するためのものである。尚、収納箱本体１０の内部に設けられた温度センサ（図示せず）により所定以上の温度を検出したとき、換気扇７０を動作させ、収納箱本体１０の内部の温度が上昇しすぎないように調整することも可能である。配線口７４には、通信機器や換気扇７０に電源を供給するための電源コード７６等が配線される孔である。
【００２３】
収納箱本体１０の底面２４には、例えばゴム足状の足２６が４つ設けられ、図２に示すように、例えば自動販売機４の天板４ａの上に載置できるようにしている。もちろん、自動販売機用通信機器収納箱１を、自動販売機４の天板４ａの上に、単に載置するだけで、自動販売機４に固定しないでおくことも可能である。しかしながら、道路の振動や地震等で、自動販売機用通信機器収納箱１が自動販売機４から落下しないように固定することが望ましい。
【００２４】
尚、自動販売機４の天板４ａに自動販売機用通信機器収納箱１を設置し、自動販売機用通信機器収納箱１を固定する方法としては、例えば、足２６を天板４ａに固定する方法や、自動販売機用通信機器収納箱１にベルトやチェーンを掛けて、天板４ａに繋ぎ止める方法がある。それ以外には、図８及び図９に示す方法もある。図８及び図９に示す方法では、固定具として、収納箱本体１０から後方に伸びると共に、後方に伸びた端部が、収納箱本体１０よりも下方に垂下したアングル材９０と、アングル材９０の後方に伸びた端部に、自動販売機４の背面４ｂに水平に固定可能な棒状のステー材９２とを備えている。そして、アングル材９０とステー材９２とは、ネジ９４で接続され、収納箱本体１０を、自動販売機４の天板４ａ上に載置した上で、ステー材９２を自動販売機４の背面４ｂに固定することで、収納箱本体１０を自動販売機４に固定している。
【００２５】
尚、図２、図８及び図９では、自動販売機用通信機器収納箱１を自動販売機４の天板４ａの上に設置した場合で説明しているが、必ずしも天板４ａの上である必要はなく、自動販売機４の側面に固定するようにしてもよく、設置位置によって限定されるものではない。
【００２６】
このように構成された自動販売機用通信機器収納箱１によれば、通信機器の無線性能を維持させつつ、強度及び耐候性に優れ、且つ内部の温度が上昇しにくく、内部の通信機器の安定動作を確保可能である。特に、収納箱本体１０の内壁に、無線電波に対する非遮蔽材である断熱材８２を内張するようにすれば、通信機器の無線性能を維持したまま、収納箱本体１０の内部の温度変化を抑えることが可能になる。また、収納箱本体１０の壁面の開放孔１２ａ，１４ａ，２０ａを、無線電波に対する非遮蔽材である形成されてなる封止材８０で塞ぐようにすれば、通信機器の無線性能を維持したまま、収納箱本体１０の内部の密閉度を高めることができ、例えば、雨水の浸入を防止することができる。
【００２７】
また、遮熱板３０，４０，５０，６０のすべて又は一部を、宣伝広告の為の文字や図柄を掲載する広告面として用いることも可能である。遮熱板３０，４０，５０，６０を、広告面とすることで、自動販売機４の広告宣伝機能を向上させたり、自動販売機用通信機器収納箱１に設けられた通信機器の例えば無線ＬＡＮのアクセスポイントであることをアピールする等が可能となる。
【００２８】
さらに、通信機器で、収納箱本体１０の外側にアンテナを設ける必要があるような場合には、遮熱板３０，４０，５０，６０に通信機器の面状アンテナを接着することも可能で、遮熱板３０，４０，５０，６０に接着することで、自動販売機用通信機器収納箱１の外観を変えることなく、面状アンテナの無線性能を確保することができる。但し、自動販売機用通信機器収納箱１の外観にこだわることなく、必要に応じて、自動販売機用通信機器収納箱１の外部に、棒状等のアンテナやスピーカーや警告ランプ等を設けることも可能である。
【産業上の利用可能性】
【００２９】
以上のように、本発明によれば、強度及び耐候性に優れ、且つ内部の温度が上昇しにくく、内部の通信機器の安定動作を確保可能な自動販売機用通信機器収納箱を提供することができる。
【符号の説明】
【００３０】
１・・・・・自動販売機用通信機器収納箱
４・・・・・自動販売機
４ａ・・・・天板
４ｂ・・・・背面
１０・・・・収納箱本体
１２・・・・正面
１２ａ・・・開放孔
１４・・・・右側壁面
１４ａ・・・開放孔
１６・・・・左側壁面
２０・・・・平面
２０ａ・・・開放孔
２２・・・・背面
２４・・・・底面
２６・・・・足
３０・・・・遮熱板
３２・・・・スペーサ
３４・・・・ネジ
４０・・・・遮熱板
４２・・・・スペーサ
４４・・・・ネジ
５０・・・・遮熱板
５２・・・・スペーサ
５４・・・・ネジ
６０・・・・遮熱板
６２・・・・スペーサ
６４・・・・ネジ
７０・・・・換気扇
７２・・・・吸気口
７４・・・・配線口
７６・・・・電源コード
８０・・・・封止材
８２・・・・断熱材
９０・・・・アングル材
９２・・・・ステー材
９４・・・・ネジ
【図１】
2016194884.tif 000003
【図２】
2016194884.tif 000004
【図３】
2016194884.tif 000005
【図４】
2016194884.tif 000006
【図５】
2016194884.tif 000007
【図６】
2016194884.tif 000008
【図７】
2016194884.tif 000009
【図８】
2016194884.tif 000010
【図９】
2016194884.tif 000011